(57)【要約】【課題】底部に補強金具を装着してしっかりと補強するとともに、作業性よく施工することができる掘りごたつを提供する。【解決手段】開口部を形成する床端部３１に側断面略Ｌ字形の取付け金具４で吊り下げるように固定され、上記底板１５の４辺の側端部を上記４面の側板１１、１２、１３、１４に凹設された溝部１１１、１２１、１３１、１４１に嵌合するとともに、底板支持部２１とこの底板支持部２１の両端に立設された側板固定片２２とからなる補強金具２を、上記底板１５とそれを嵌合して対向する側板１１、１３（１２、１４）とを挟持するように下方から取付け、上記側板固定片２２を上記対向する側板１１、１３（１２、１４）に固定される。【選択図】図１
2004176942.tif 000002
【特許請求の範囲】
【請求項１】
４面の側板と底板とから形成され、床下に設ける掘りごたつであって、該掘りごたつは、開口部を形成する床端部に側断面略Ｌ字形の取付け金具で吊り下げるように固定され、上記底板の４辺の側端部を上記４面の側板に凹設された溝部に嵌合するとともに、底板支持部とこの底板支持部の両端に立設された側板固定片とからなる補強金具を、上記底板とそれを嵌合して対向する側板とを挟持するように下方から取付け、上記側板固定片を上記対向する側板に固定した掘りごたつ。
【請求項２】
上記補強金具が、その底板支持部として長尺の金属プレートを用いるとともに、その長手方向側端に上向きに延設された２本の補強用リブを有する請求項１に記載の掘りごたつ。
【請求項３】
上記２本の補強用リブの上端部が内側または外側に直角に折り曲げられ補強用アングルとされた請求項２に記載の掘りごたつ。
【請求項４】
上記補強金具が、その底板支持部として長尺の金属プレートを用いるとともに、その上面に断面が略方形の金属中空部材を載設したものである請求項２に記載の掘りごたつ。
【請求項５】
上記補強金具を複数本用いて上記底板とそれを嵌合して対向する一対の側板を複数の個所で補強する請求項１に記載の掘りごたつ。
【発明の詳細な説明】
【０００１】
【発明の属する技術分野】
本発明は、掘りごたつに関する。さらに詳しくは、掘りごたつの底部の構造に関する。
【０００２】
【従来の技術】
従来、掘りごたつに関しては、断熱性の高い掘りごたつに関する技術や、掘りごたつの上に載置する座卓の収納や設置に手間をかけないようにする技術、あるいは、ヒータの上に載架され、その上に足を載せるように設けられるすのこを、掘りごたつを使用しないときに畳み受けボードとして使用する技術等が知られている（例えば、特許文献１、特許文献２、特許文献３。）。
【０００３】
【特許文献１】
特開平１１−２８１０６１号公報（第１−２頁、第１図、第２図）
【特許文献２】
特開平８−９４０８２号公報（第１−５頁、第１図、第１０図、第１１図）
【特許文献３】
実開昭６２−２９１５号公報（第１頁、第１図、第４図）
【０００４】
【発明が解決しようとする課題】
一方、本願の図７に示すように、４面の側板１１、１２、１３、１４と底板１５とから形成された掘りごたつ９が公知であり、この掘りごたつ９は、床３に設けられた開口部にはめ込まれ、使用者は、畳５に座って、底板１５に備えられた電熱ヒータ等の熱源Ｈで足を暖める。上記掘りごたつ９は、図７の側断面図である図８からよくわかるように、４面の側板１１、１２、１３、１４を開口部を形成する床端部３１に側断面略Ｌ字形の取付け金具４で吊り下げるように固定され、通常、座卓Ｚを開口部の上に載置して使用される。
【０００５】
また、図８からよくわかるように、底板１５は、その４辺の側板１１、１２、１３、１４と当接する側端部の全長に係合用の突起部を延設し、この突起部を側板に凹設された溝部に嵌合する、いわゆる実加工が行なわれている。しかしながら、頻繁に足を出し入れし、繰り返し荷重がかかると、上記突起部に亀裂が発生し、それが底板１５に及んでひび割れるという事態となるため、製品としての掘りごたつ９は、その底部をさらに複数の補強金具８で補強されている。補強金具８は、図８および補強金具８の斜視図である図９によく示されているように、上からの荷重に対して補強金具が撓んだり、曲がったりしないように、下向きの補強用リブ８１を備え、補強されている。
【０００６】
公知の掘りごたつ９は、上記したように、その長手方向側端に下向きに延設された２本の補強用リブ８１を有する補強金具８をその底部に装着しているため、現場施工時に、製品掘りごたつの梱包を解いて仮置きした時に、この補強用リブ８１が、例えば、畳や、床面を傷つけることがあり、そのため、作業者は、慎重に作業を行わなければならず、作業性が悪いという問題がある。さらに、掘りごたつ９の底部に補強用リブ８１が突出しているため、梱包、積載等においても種々不都合な面がある。そこで、本発明は、上記問題点を解決して、取付け工事の際、周囲の畳や、床面を傷つけることがないように、作業性よく施工することができる掘りごたつを提供することをその課題とする。
【０００７】
【課題を解決するための手段】
本発明は、上記課題を解決するために考え出されたものであって、つぎのような技術的手段を講じている。すなわち、本発明によれば、４面の側板と底板とから形成され、床下に設ける掘りごたつであって、該掘りごたつは、開口部を形成する床端部に側断面略Ｌ字形の取付け金具で吊り下げるように固定され、上記底板の４辺の側端部を上記４面の側板に凹設された溝部に嵌合するとともに、底板支持部とこの底板支持部の両端に立設された側板固定片とからなる補強金具を、上記底板とそれを嵌合して対向する側板とを挟持するように下方から取付け、上記側板固定片を上記対向する側板に固定した掘りごたつが提供される。
【０００８】
このようにすることによって、底板の厚み分すべてが側板に設けられた溝部に嵌め込まれ、かつ、上記底板とそれを嵌合して対向する一対の側板とを挟持するように上記補強金具でしっかりと補強するとともに、底部に装着された補強金具に突出部分がないため、現場施工時に、掘りごたつを仮置きしても、畳や、床面を傷つけることがなく、作業性よく、工事を行うことができる。
【０００９】
上記補強金具は、その底板支持部として長尺の金属プレートを用いるとともに、その長手方向側端に上向きに延設された２本の補強用リブを有することが好ましい。このようにすることによって、上方向からの荷重に対する応力が大となり、頻繁に足を出し入れし、繰り返し荷重が加えられても、底板支持部が撓んだり、曲がったりすることを防ぐ。
【００１０】
上記２本の補強用リブの上端部が内側または外側に直角に折り曲げられ、補強用アングルとすることが好ましい。このように補強用リブをアングル構造とし、上方向からの荷重を面で支えることにより、荷重が分散され、頻繁に足を出し入れし、繰り返し荷重が加えられても、底板支持部が撓んだり、曲がったりすることをさらに効率的に防ぐ。
【００１１】
上記補強金具が、その底板支持部として長尺の金属プレートを用いるとともに、その上面に断面が略方形の金属中空部材を載設したものであることが好ましい。このように、上方向からの荷重を面で支えることにより、荷重が分散され、頻繁に足を出し入れし、繰り返し荷重が加えられても、底板支持部が撓んだり、曲がったりすることをさらに効率的に防ぐ。
【００１２】
上記補強金具を複数本用いて上記底板とそれを嵌合して対向する一対の側板を複数の個所で補強することが好ましい。このように、上方向からの荷重を複数の補強金具で分散して支えることにより、補強金具１個当りの荷重が少なくなり、頻繁に足を出し入れし、繰り返し荷重が加えられても、底板支持部が撓んだり、曲がったりすることをさらに効率的に防ぐ。
【００１３】
【発明の実施の形態】
以下、本発明の好ましい実施の形態について、図面を参照して、さらに詳細に説明する。図１は、床３の下に設けられ、４面の側板１１、１２、１３、１４と底板１５とから形成される掘りごたつ１が、開口部を形成する床端部３１に、側断面略Ｌ字形の取付け金具４で吊り下げるように固定された状態を示す側断面図である。
【００１４】
図１からよくわかるように、この掘りごたつ１は、その底板１５の４辺の各々の側端部が上記４面の側板１１、１２、１３、１４に凹設された溝部１１１、１２１、１３１、１４１に嵌合され、底板支持部２１とこの底板支持部２１の両端に立設された側板固定片２２とからなる補強金具２が、上記底板１５とそれを嵌合して対向する側板１１、１３（１２、１４）とを挟持するように下方から取付けられている。図１においては、補強金具２として、底板支持部２１を長尺の金属プレートで形成し、さらに、その長手方向側端に上向きに２本の補強用リブ２３を延設したものを用いるとともに、上記側板固定片２２を対向する側板１１、１３（１２、１４）に固定している。
【００１５】
図２は、２本の補強金具２を用いた、本発明の掘りごたつ１の下面図であり、図３は、上記補強用リブ２の斜視図である。図４は、上記補強用リブの上端部が内側に直角に折り曲げられて補強アングル２４とされた形態を示す斜視図である。また、上記補強用リブの上端部を外側に直角に折り曲げた形態とすることもできる（図示省略）。図５は、底板支持部２１の上に断面が略方形の補強用の金属中空部材２５を載設した形態を示す斜視図である。
【００１６】
また、本発明にかかる掘りごたつ１は、使用しないときは、図６に示すように、側板１１、１２、１３、１４の上端面に係止された載架金具７で畳み受けボード６を載架し、この畳み受けボード６の上に畳５を敷いて開口部を閉じる。図６からよくわかるように、掘りごたつ１を床端部３１に取付けるための取付け金具４の上面と、上記載架金具７の上面とは、面一とされているため、畳み受けボード６の上に畳を段差が生じることなく敷くことができる。
【００１７】
【発明の効果】
以上述べたように、請求項１に記載の発明は、４面の側板１１、１２、１３、１４と底板１５とから形成され、床３下に設ける掘りごたつ１であって、該掘りごたつ１は、開口部を形成する床端部３１に側断面略Ｌ字形の取付け金具４で吊り下げるように固定され、上記底板１５の４辺の側端部を上記４面の側板１１、１２、１３、１４に凹設された溝部１１１、１２１、１３１、１４１に嵌合するとともに、底板支持部２１とこの底板支持部２１の両端に立設された側板固定片２２とからなる補強金具２を、上記底板１５とそれを嵌合して対向する側板１１、１３（１２、１４）とを挟持するように下方から取付け、上記側板固定片２２を上記対向する側板１１、１３（１２、１４）に固定した掘りごたつである。
【００１８】
このようにすることによって、底板１５の厚み分すべてが側板に設けられた溝部１１１、１２１、１３１、１４１に嵌め込まれ、かつ、上記底板１５とそれを嵌合して対向する一対の側板１１、１３（１２、１４）が挟持されるように上記補強金具２でしっかりと補強されるとともに、底部に装着された補強金具２に突出部分がないため、現場施工時に、掘りごたつを仮置きしても、畳や、床面を傷つけることがなく、作業性よく、工事を行うことができる。
【００１９】
請求項２に記載の発明は、上記補強金具２は、その底板支持部２１として長尺の金属プレートを用いるとともに、その長手方向側端に上向きに延設された２本の補強用リブ２３を有する。このようにすることによって、請求項１に記載の発明の効果に加え、上方向からの荷重に対する応力が大となり、頻繁に足を出し入れし、繰り返し荷重が加えられても、底板支持部２１が撓んだり、曲がったりすることを防ぐ。
【００２０】
請求項３に記載の発明は、上記２本の補強用リブ２３の上端部が内側または外側に直角に折り曲げられ、補強用アングル２４とすることが好ましい。このように補強用リブ２３をアングル構造とし、上方向からの荷重を面で支えることにより、請求項２に記載の発明の効果に加え、荷重が分散され、頻繁に足を出し入れし、繰り返し荷重が加えられても、底板支持部２１が撓んだり、曲がったりすることをさらに効率的に防ぐ。
【００２１】
請求項４に記載の発明は、上記補強金具２が、その底板支持部２１として長尺の金属プレートを用いるとともに、その上面に断面が略方形の金属中空部材２５を載設したものであることが好ましい。このように、上方向からの荷重を面で支えることにより、請求項２に記載の発明の効果に加え、荷重が分散され、頻繁に足を出し入れし、繰り返し荷重が加えられても、底板支持部２１が撓んだり、曲がったりすることをさらに効率的に防ぐ。
【００２２】
請求項５に記載の発明は、上記補強金具２を複数本用いて上記底板１５とそれを嵌合して対向する一対の側板１１、１３（１２、１４）を複数の個所で補強される。このように、上方向からの荷重を複数の補強金具２で分散して支えることにより、請求項１に記載の発明の効果に加え、補強金具１個当りの荷重が少なくなり、頻繁に足を出し入れし、繰り返し荷重が加えられても、底板支持部２１が撓んだり、曲がったりすることをさらに効率的に防ぐ。
【図面の簡単な説明】
【図１】床下に設けられた本発明にかかる掘りごたつを示す側断面図である。
【図２】上記掘りごたつの下面図である。
【図３】本発明にかかる補強金具を示す斜視図である。
【図４】本発明にかかる他の形態の補強金具を示す斜視図である。
【図５】本発明にかかるさらに他の形態の補強金具を示す斜視図である。
【図６】畳を敷いて開口部を閉じた状態の本発明の掘りごたつを示す側断面図である。
【図７】公知の掘りごたつを示す斜視図である。
【図８】公知の掘りごたつの側断面図である。
【図９】公知の補強金具の斜視図である
【符号の説明】
１              掘りごたつ
１１、１３      対向する側板
１２、１４      対向する側板
１５            底板
１１１、１３１  溝部
１２１、１４１  溝部
２              補強金具
２１            底板支持部
２２            側板固定片
２３            上向き補強用リブ
２４            補強用アングル
２５            補強用金属中空部材
３              床
３１            床端部
４              取付け金具
５              畳
６              畳受けボード
７              畳受けボード載架金具
８              公知の補強金具
８１            公知の下向き補強用リブ
９              公知の掘りごたつ
Ｈ              熱源
Ｚ              座卓
【図１】
2004176942.tif 000003
【図２】
2004176942.tif 000004
【図３】
2004176942.tif 000005
【図４】
2004176942.tif 000006
【図５】
2004176942.tif 000007
【図６】
2004176942.tif 000008
【図７】
2004176942.tif 000009
【図８】
2004176942.tif 000010
【図９】
2004176942.tif 000011